(57)【要約】【課題】  扉と付属の扉枠との間または二枚の扉の間に、人間の手または指が挟まれる危険を回避するのに適し、複雑な部品、たとえば傾斜型セクションバー等を必要としない自自動開閉扉の安全装置を提供する。【解決手段】電動の開閉扉、スライド式扉のための安全装置、特に、入れ子式または中央開き式、ガラス製またはクリスタル製、もしくは枠付きまたは異なる形式の扉において、扉の動作中に、扉（１２、１４）と付属の扉枠（１０）との間または二枚の扉（１２、１４）の間に、人の指が挟まれる危険を回避するのに適した安全装置であって、少なくとも一つの扉枠（１０）および／または扉（１２、１４）上に延びたベースから直角に立ち上げられた中央隆起部（２６）を有し、扉開閉制御装置または開閉システム制御盤に電気的に接続された少なくとも一つの電気感光式ストリップ（２０）を含む安全装置を提供する。【選択図】  図６
0003127794.tif 000002
【実用新案登録請求の範囲】
【請求項１】
電動の開閉扉および／またはスライド式扉のための安全装置であって、特に、入れ子式または中央開き式、ガラス製またはクリスタル製、もしくは枠付きまたは異なる形式の扉において、扉の動作中に、扉（１２、１４）と付属の扉枠（１０）との間または二枚の扉（１２、１４）の間に、人の指が挟まれる危険を回避するのに適した安全装置であって、
少なくとも一つの扉枠（１０）および／または扉（１２、１４）上に垂直に延びたベースから直角に立ち上げられた中央隆起部（２６）を有し、扉開閉制御装置または開閉システム制御盤に電気的に接続された少なくとも一つの電気感光式ストリップ（２０）を含むことを特徴とする安全装置。
【請求項２】
電気感光式ストリップ（２０）が、扉枠（１０）および／または扉（１２、１４）に接着剤または同様の手段により固定され、中央隆起部（２６）が、一方の前記扉の枠（１８）に向かうように配設されることを特徴とする、請求項１記載の安全装置。
【請求項３】
電気感光式ストリップ（２０）が、扉枠（１０）および／または扉（１２、１４）上であって、５°から９０°の範囲内の角度を有する傾斜壁を作り上げるように形成された斜面（２８）上またはそれに隣接して固定されることを特徴とする、請求項１または２記載の安全装置。
【請求項４】
電気感光式ストリップ（２０）が、扉開閉制御盤または開閉システム制御盤に直接接続されるか、または赤外線伝達システム、光電セルおよび同様の部品を介して間接的に接続されることを特徴とする、請求項１〜３の何れか１項記載の安全装置。
【請求項５】
前記赤外線伝達システムが、少なくとも一つの受信機（３２）と連携し、昇降機システムの各乗り場階の扉にちょうど隣接して位置決めされたブラケット（３８）により支持され、「オペレータ」アセンブリに属する成形された枠３６に固着されて扉の動きを制御する一つ以上のトランスミッタ（３０）を含むことを特徴とする、請求項４記載の安全装置。
【請求項６】
電気感光式ストリップ（２０）が、斜面（２８）が設けられた扉（１２、１４）の枠（１８）に固定されることを特徴とする、請求項１〜５の何れか１項記載の安全装置。
【考案の詳細な説明】
【技術分野】
【０００１】
考案の分野
本考案は、一般に、電気を動力源とする開閉扉、スライド式扉、またはシャッタの安全装置に関する。より詳細には、本考案は、扉が開閉するとき、人間の指が開閉扉と扉枠との間に挟まれる危険を回避するのに適した装置に関する。開閉システムには、特に緊急の状況で、適切な安全レベルを保証し、ユーザの安全を保持することを目的とした、いくつかの安全装置が従来から装備されていることが知られている。これらの安全装置の一つに、開閉扉が開いている間、開閉扉の上に置かれたユーザの手または指が、扉と付随した扉枠との間に引っ張られて、押し込まれ挟まれるのを回避することを目的としたものがある。このような問題は、深刻な外傷の原因となるおそれがあるが、扉が動いている間、戯れや好奇心のために、その小さな手を無意識に扉の上に置く傾向がある子ども達に影響がある可能性が高い。扉と扉枠との間の空間が最小限であるとしても、扉が開くことにより生じる引張の影響により、子ども達の指だけは、そのような隙間にも容易にはまり込んでしまう。
【０００２】
同様の状況において、扉の開く動作をできるだけ早急に停止することは、きわめて重要なことである。これについて、人間の指で押圧すると傾斜するセクションバーと連結した小型スイッチ、または同様の機器を含む安全装置が知られている。緊急時には、手でセクションバーを押すと小型スイッチに接触し、これによりシステム制御装置に接続し、扉が開く動作を停止させるための第１の信号が送られ、これの入れ替わりに、第２の扉の閉鎖信号へと変換される。
【０００３】
従来の形態は確立されているが、このような装置は、構造および組立に関連する問題を含んでおり、特殊な可動セクションバーをあらかじめ配設し、人間の指で押された後、特殊なヒンジ付き支持部により、所定の高さまで傾斜可能なように配置する必要がある。組立時には、小型スイッチに対して位置決めに関しての正確さが求められるが、これは加えられる圧力が所定の強度であって、セクションバーが適切に動く場合に、セクションバーと連動して回路を開閉するだけであるためである。
【０００４】
一般的に、これらは導入時および日常保守の双方において、高価な解決手段である。本考案の目的は、上記の問題を改善することにある。
【０００５】
発明の概要
さらに詳細には、本考案の目的は、開閉扉のための安全装置、主に、扉と付属の扉枠との間、または二枚の扉の間に、人間の手または指が挟まれる危険を回避するのに適し、複雑な部品、たとえば傾斜型セクションバーまたは小型スイッチ、もしくは同様の部品を必要としない装置を提供することにある。
【０００６】
本考案のさらなる目的は、一般に、開閉システムまたは電動スライド式扉に、容易かつ迅速な方法で適用するのに適した、上述のような装置を提供することにある。
【０００７】
本考案のさらなる目的は、長期にわたり適切なレベルの耐性と信頼性を保証し、さらに容易かつ安価に製造できる、開閉扉のための安全装置を提供することにある。
【０００８】
これらおよびその他の目的は、特に、入れ子式または中央開き式、ガラス製またはクリスタル製、もしくは製枠付きまたは異なる形式の扉において、扉の開き動作中に、扉と付属の扉枠との間または二枚の扉の間に、人間の指が押し込まれることを回避するのに適した、本考案による開閉扉のための安全装置により達成され、これには、少なくとも一つの扉枠および／または扉上に垂直に延びたベースから直角に立ち上げられた中央隆起部を有し、扉開閉制御装置または開閉システム制御盤に電気的に配線された少なくとも一つの電気感光式ストリップが含まれる。
【０００９】
本考案による、開閉扉のための安全装置の構造および機能的特徴は、以下に記載する説明の中でさらに明らかにされよう。ここで、好ましい実施形態を示す添付図面を参照するが、これらは特徴を限定するものではない。
【００１０】
詳細な説明
図を参照すると、本考案による開閉扉のための安全装置が、たとえば４枚の入れ子式に開く扉を含む開閉システムの脇扉枠１０に適用されているが、簡略化のために、図１は１２および１４として特定される、ガラス１６からなる２つの扉のみを、各々従来のような枠１８とともに示す。本考案の安全装置はさらに、ガラスまたはクリスタル製ではなくてもよく、また４枚以上の入れ子状扉または中央開きの２枚扉を有する開閉システムに適用することもできることが理解されよう。また、扉の開閉方向は、水平方向、上下方向を含むあらゆる開閉方向が本考案には含まれる。本考案の安全装置は、図中で２０として特定され、既知の形式であり、たとえば、Ｇｒａｉｎ社製のブランド名“Ｔａｐｅｓｗｉｔｃｈ”で市販されている電気感光式ストリップを含む。
【００１１】
このストリップについては、図３および４にその部分断面図を図示するが、外部絶縁ライニング２２と、長手方向に延び、わずかに間隔を置いて上記のライニングの内部表面に埋め込まれるか、または固定された２片の金属箔または導体２４とを含み、一般的にはＰＶＣからなる。
【００１２】
電気感光式ストリップは、扉１４の扉枠１０または枠１８に沿って垂直に、好ましくは上端付近に配設される。これらのストリップには、何らかの適切な手段を、たとえば接着剤を用いて扉枠１０に固定され、いったん開くと扉枠に向かい合う扉の枠１８に向かって、ベースから直角に立ち上げられた、参照符号２６で特定される中央隆起部が備えられている。
【００１３】
好ましい実施形態においては、限定的であることを意図せず、図に示すが、安全装置を形成する電気感光式ストリップ２０が、扉枠１０および扉１４の枠１８上に、その上に形成された斜面２８上またはそれに隣接して適用されている。この斜面が、上端に隣接し、たとえば５°から９０°の範囲の角度を有する傾斜壁を生じさせる。
【００１４】
電気感光式ストリップ２０は、既知の方法により、扉開閉制御盤または開閉システム制御パネルに、直接または間接的に電気的に接続される。たとえば、赤外線伝達システム、光電セルおよび同様の部品を介して、扉開閉制御盤または開閉システム制御パネルに間接的に接続することができる。
【００１５】
前述のような赤外線伝達システムの場合、安全装置には、図９中に３０として参照される、一つ以上のトランスミッタと、図８中に３２として参照される、少なくとも一つの受信機３２とを含む。これらの図８および９には、扉の上部に位置付けられた、扉１２および１４をスライドさせる既知のキャリッジ３４が図示されている。図８は、従来の「オペレータ」アセンブリに属する成形された枠３６を図示し、これにより扉の動きが制御される。本実施態様によると、有利なことには、上述の成形された枠を用いて受信機３２を支持する。
【００１６】
図９にもまた、キャリッジ３４が図示され、トランスミッタ３０の台として機能するブラケット３８が示されており、このブラケットは、昇降機システムの各乗り場階の扉にちょうど隣接して位置決めされている。したがって、トランスミッタ３０は、各乗り場階の扉にちょうど隣接して位置決めされたブラケット３８と同じ数だけ位置決められ、一方、受信機３２は、真に有利なことには１つだけであり、上記の枠３６に固定される。
【００１７】
扉１２、１４が開くと、扉枠１０および／または一つ以上の扉に適用された電気感光式ストリップ２０が、ガラスまたはクリスタル１６と接触したままにしている可能性のあるユーザの手と触れ合い、わずかに変形する。図４に図示するとおり、このような変形は隆起部２６に作用し、既知のＰＶＣライニングなど、弾性的な電気感光式ストリップ２０の形状を一時的に変え、導体２４の局部的な接触を確定するのに十分である。この接触により短絡が生じて電力供給が遮断され、既知の方法により、扉開閉制御盤または開閉システム制御パネルに送信されて動作を停止、逆転させる信号に変換され、これにより扉を停止させ、部分的に開閉させる。
【００１８】
図５は、閉鎖されているときの、開閉扉の半分を形成する二枚の入れ子式扉の略平面図である。
【００１９】
この図から理解できるのは、この解決法において、安全装置２０は有利なことには、扉枠１０と、一方の扉、すなわち低速でスライドする扉１４の枠１８との二個所にそれぞれ位置付けされている。この場合、この扉の枠１８は、好ましくは、安全装置２０を受容する部分に、扉枠１０に設けられたものと同一または同様の斜面２８を備える。
【００２０】
図６および７は、部分的および全体が開いた状態の扉を概略的に図示し、ユーザの手が不本意ながら、扉１４と扉枠１０との間、または扉１２と扉１４との間に挟まれるに至るときに発生する全状況を図示している。後者の状態では、図６の拡大部分に、安全装置２０の隆起部２６の変形を示す。
【００２１】
上述の説明から理解できるように、本考案により達成される利点は明白である。なお、図６では、扉１２、１４が開く場合の安全装置を示しているが、扉が閉まる場合においても、同様に、電気感光式ストリップ２０の変形を用いた安全装置を適用することができる。
【００２２】
本考案による開閉扉のための安全装置は、設置が容易であり、適切な機能性を保証し、同様の小型スイッチのための特別なヒンジ付き支持部を必要とせず、したがって、安価に実現できることがわかる。
【００２３】
前述の、本考案の実施態様の開示により、一例として記載された好ましい実施形態を参照して説明したが、これは特徴を網羅するためのものではない。
【００２４】
すべての修正および変更は、請求項に照らし、その本質から、通常の当業者にとって自明である。
【図面の簡単な説明】
【００２５】
【図１】本考案による安全装置を装備した開閉システムの扉の、概略平面図である。
【図２】図1の一部分の拡大図である。
【図３】本考案による安全装置の概略断面図である。
【図４】本考案による安全装置の概略断面図である。
【図５】本考案による二つの安全装置を設置した、開閉扉の半分を形成する、閉じられている二枚の入れ子式扉の概略平面図である。
【図６】部分的に開かれている、図５と同じ入れ子式扉の概略平面図である。
【図７】開放されている、図５および図６と同じ入れ子式扉の概略平面図である。
【図８】本考案の安全装置に備えられた連携手段を有する、開閉システムの一部を示す多面概略図である。
【図９】本考案の安全装置に備えられた連携手段を有する、開閉システムの一部を示す多面概略図である。
【図１】
0003127794.tif 000003
【図２】
0003127794.tif 000004
【図３】
0003127794.tif 000005
【図４】
0003127794.tif 000006
【図５】
0003127794.tif 000007
【図６】
0003127794.tif 000008
【図７】
0003127794.tif 000009
【図８】
0003127794.tif 000010
【図９】
0003127794.tif 000011